(57)【要約】      （修正有）【課題】印刷物を複製する際に、当該印刷物において複製可能又は複製不可の領域を設定できる印刷物複製装置及び印刷物複製方法を提供する。【解決手段】印刷物読取部５８の表面には、例えば、タッチパネル又は圧力センサが全面に配置されており、ユーザは、タッチペンＰ１又は指等を用いて印刷物１０の上をタッチすれば複製したい領域１６を指定することができる。次に、無線タグリーダ部６０により、印刷物１０の無線タグ１２から複製不可領域１４の位置情報が読み取られる。この複製したい領域１６と複製不可領域１４とが重なると判断された場合には、複製したい領域１６が複製不可領域１４であることを示す警告表示又は警告音声が出力される。一方、複製したい領域１６と複製不可領域１４と重ならないと判断された場合には、印刷物読取部５８により、複製したい領域１６内に印刷された印刷内容が読み取られて、印刷部６４に出力されて印刷、複製される。【選択図】図５
2007121894.tif 000002
【特許請求の範囲】
【請求項１】
複製不可領域の情報を記憶する記憶手段を備える印刷物から、前記複製不可領域の情報を読み取る複製不可領域情報読取手段と、
前記印刷物上において複製したい領域を指定する領域指定手段と、
前記複製したい領域と前記複製不可領域が重ならないかどうかを判定する判定手段と、
前記複製したい領域と前記複製不可領域が重ならないと判定された場合に、前記印刷物上の複製したい領域に印刷された印刷内容を読み取る印刷内容読取手段と、
前記読み取った印刷内容を複製する複製手段と、
を備えることを特徴とする印刷物複製装置。
【請求項２】
複製不可領域の情報を記憶する記憶手段を備える印刷物から、前記複製不可領域の情報を読み取る複製不可領域情報読取手段と、
前記印刷物上において複製したい領域を指定する領域指定手段と、
前記複製したい領域と前記複製不可領域が重ならないかどうかを判定する判定手段と、
前記複製したい領域と前記複製不可領域が重ならないと判定された場合に、前記複製したい領域の情報を、前記印刷物の記憶手段に書き込む情報書込手段と、
を備えることを特徴とする印刷物複製装置。
【請求項３】
前記印刷物の記憶手段に書き込まれた複製したい領域の情報を読み取る読取手段と、前記印刷物上の複製したい領域に印刷された印刷内容を読み取る印刷内容読取手段と、前記読み取った印刷内容を複製する複製手段とを備える複製装置を更に備えることを特徴とする請求項２記載の印刷物複製装置。
【請求項４】
前記領域指定手段は、
タッチパネル又は圧力センサが全面に配設されたプレート状部材と、
前記プレート状部材に載置された印刷物上において、タッチされた箇所の位置情報を取得する位置情報取得手段と、
を備えることを特徴とする請求項１から３のいずれか１項記載の印刷物複製装置。
【請求項５】
前記領域指定手段は、前記プレート状部材に載置された印刷物上の２点がタッチされた場合に、前記２点を対角の頂点とする矩形領域を複製したい領域に指定することを特徴とする請求項４記載の印刷物複製装置。
【請求項６】
前記領域指定手段は、前記プレート状部材に載置された印刷物上においてなぞられた曲線又は直線で囲まれる領域を複製したい領域に指定することを特徴とする請求項４記載の印刷物複製装置。
【請求項７】
前記複製手段は、前記読み取った印刷内容を印刷する印刷手段を備えることを特徴とする請求項１から６のいずれか１項記載の印刷物複製装置。
【請求項８】
複製不可領域の情報を記憶する記憶手段を備える印刷物から、前記複製不可領域の情報を読み取る複製不可領域情報読取工程と、
前記印刷物上において複製したい領域を指定する領域指定工程と、
前記複製したい領域と前記複製不可領域が重ならないかどうかを判定する判定工程と、
前記複製したい領域と前記複製不可領域が重ならないと判定された場合に、前記印刷物上の複製したい領域に印刷された印刷内容を読み取る印刷内容読取工程と、
前記読み取った印刷内容を複製する複製工程と、
を備えることを特徴とする印刷物複製方法。
【請求項９】
複製不可領域の情報を記憶する記憶手段を備える印刷物から、前記複製不可領域の情報を読み取る複製不可領域情報読取工程と、
前記印刷物上において複製したい領域を指定する領域指定工程と、
前記複製したい領域と前記複製不可領域が重ならないかどうかを判定する判定工程と、
前記複製したい領域と前記複製不可領域が重ならないと判定された場合に、前記複製したい領域の情報を、前記印刷物の記憶手段に書き込む情報書込工程と、
を備えることを特徴とする印刷物複製方法。
【請求項１０】
前記印刷物の記憶手段に書き込まれた複製したい領域の情報を読み取る読取工程と、
前記印刷物上の複製したい領域に印刷された印刷内容を読み取る印刷内容読取工程と、
前記読み取った印刷内容を複製する複製工程と、
を更に備えることを特徴とする請求項９記載の印刷物複製方法。
【発明の詳細な説明】
【技術分野】
【０００１】
本発明は印刷物複製装置及び印刷物複製方法に係り、特に印刷物の複製を制限するための技術に関する。
【背景技術】
【０００２】
特許文献１には、複製対象物に付加された無線タグから送信される無線タグ情報を受信し、受信した無線タグ情報に基づいて複製対象物の複製の可否を判定する複製可否判定装置について開示されている。
【特許文献１】特開２００５−９４２７５号公報
【発明の開示】
【発明が解決しようとする課題】
【０００３】
しかしながら、上記の特許文献１に開示された複製可否判定装置では、複製対象物が複製不可と判断されると、複製対象物全体が複製できなくなるため、印刷物の一部のみを複製不可とすることはできなかった。
【０００４】
本発明はこのような事情に鑑みてなされたもので、印刷物を複製する際に、当該印刷物において複製可能又は複製不可の領域を設定できる印刷物複製装置及び印刷物複製方法を提供することを目的とする。
【課題を解決するための手段】
【０００５】
上記目的を達成するために請求項１に係る印刷物複製装置は、複製不可領域の情報を記憶する記憶手段を備える印刷物から、前記複製不可領域の情報を読み取る複製不可領域情報読取手段と、前記印刷物上において複製したい領域を指定する領域指定手段と、前記複製したい領域と前記複製不可領域が重ならないかどうかを判定する判定手段と、前記複製したい領域と前記複製不可領域が重ならないと判定された場合に、前記印刷物上の複製したい領域に印刷された印刷内容を読み取る印刷内容読取手段と、前記読み取った印刷内容を複製する複製手段とを備えることを特徴とする。
【０００６】
請求項１に係る印刷物複製装置によれば、１枚の印刷物に印刷された印刷内容の一部を複製不可領域として指定することにより、印刷物のうち複製が許可された部分のみを選択的に複製することができる。
【０００７】
請求項２に係る印刷物複製装置は、複製不可領域の情報を記憶する記憶手段を備える印刷物から、前記複製不可領域の情報を読み取る複製不可領域情報読取手段と、前記印刷物上において複製したい領域を指定する領域指定手段と、前記複製したい領域と前記複製不可領域が重ならないかどうかを判定する判定手段と、前記複製したい領域と前記複製不可領域が重ならないと判定された場合に、前記複製したい領域の情報を、前記印刷物の記憶手段に書き込む情報書込手段とを備えることを特徴とする。
【０００８】
請求項２に係る印刷物複製装置によれば、１枚の印刷物上に指定された複製不可領域と重ならない領域を複製したい領域として指定して、印刷物の記憶手段に記憶させることができる。
【０００９】
請求項３に係る印刷物複製装置は、請求項２において、前記印刷物の記憶手段に書き込まれた複製したい領域の情報を読み取る読取手段と、前記印刷物上の複製したい領域に印刷された印刷内容を読み取る印刷内容読取手段と、前記読み取った印刷内容を複製する複製手段とを備える複製装置を更に備えることを特徴とする。
【００１０】
請求項３に係る印刷物複製装置によれば、請求項２において、印刷物の記憶手段に記憶させた複製したい領域を選択的に複製できる。
【００１１】
請求項４に係る印刷物複製装置は、請求項１から３において、前記領域指定手段は、タッチパネル又は圧力センサが全面に配設されたプレート状部材と、前記プレート状部材に載置された印刷物上において、タッチされた箇所の位置情報を取得する位置情報取得手段とを備えることを特徴とする。請求項４は、請求項１から３記載の領域設定手段を限定したものである。
【００１２】
請求項５に係る印刷物複製装置は、請求項４において、前記領域指定手段は、前記プレート状部材に載置された印刷物上の２点がタッチされた場合に、前記２点を対角の頂点とする矩形領域を複製したい領域に指定することを特徴とする。また、請求項６に係る印刷物複製装置は、請求項４において、前記領域指定手段は、前記プレート状部材に載置された印刷物上においてなぞられた曲線又は直線で囲まれる領域を複製したい領域に指定することを特徴とする。請求項５又は６は、請求項４における複製したい領域の指定方法を限定したものである。
【００１３】
請求項７に係る印刷物複製装置は、請求項１から６において、前記複製手段は、前記読み取った印刷内容を印刷する印刷手段を備えることを特徴とする。請求項７は、印刷内容の複製方法を印刷に限定したものである。
【００１４】
請求項８に係る印刷物複製方法は、複製不可領域の情報を記憶する記憶手段を備える印刷物から、前記複製不可領域の情報を読み取る複製不可領域情報読取工程と、前記印刷物上において複製したい領域を指定する領域指定工程と、前記複製したい領域と前記複製不可領域が重ならないかどうかを判定する判定工程と、前記複製したい領域と前記複製不可領域が重ならないと判定された場合に、前記印刷物上の複製したい領域に印刷された印刷内容を読み取る印刷内容読取工程と、前記読み取った印刷内容を複製する複製工程とを備えることを特徴とする。
【００１５】
請求項９に係る印刷物複製方法は、複製不可領域の情報を記憶する記憶手段を備える印刷物から、前記複製不可領域の情報を読み取る複製不可領域情報読取工程と、前記印刷物上において複製したい領域を指定する領域指定工程と、前記複製したい領域と前記複製不可領域が重ならないかどうかを判定する判定工程と、前記複製したい領域と前記複製不可領域が重ならないと判定された場合に、前記複製したい領域の情報を、前記印刷物の記憶手段に書き込む情報書込工程とを備えることを特徴とする。
【００１６】
請求項１０に係る印刷物複製方法は、請求項９において、前記印刷物の記憶手段に書き込まれた複製したい領域の情報を読み取る読取工程と、前記印刷物上の複製したい領域に印刷された印刷内容を読み取る印刷内容読取工程と、前記読み取った印刷内容を複製する複製工程とを更に備えることを特徴とする。
【発明の効果】
【００１７】
本発明によれば、１枚の印刷物に印刷された印刷内容の一部を複製不可領域として指定することにより、印刷物のうち複製が許可された部分のみを選択的に複製することができる。
【発明を実施するための最良の形態】
【００１８】
以下、添付図面に従って本発明に係る印刷物複製装置及び印刷物複製方法の好ましい実施の形態について説明する。
【００１９】
図１は、本発明に係る印刷物複製装置に使用する印刷物を模式的に示す平面図である。図１に示すように、印刷物１０には、無線タグリーダ／ライタ（ＲＦＩＤリーダ／ライタ）との間で、電波によりデータを送受信する無線タグ（ＲＦＩＤタグ、無線ＩＣタグ）１２が設けられる。無線タグ１２は、印刷物１０上に指定された複製不可領域１４の位置情報を記憶する。
【００２０】
図２は、図１に示した印刷物１０を作成するための印刷装置の主要構成を示すブロック図である。図２に示すように、印刷装置２０は、印刷部２２、複製不可領域指定部２４及び無線タグリーダ／ライタ部２６を備える。印刷部２２は、印刷物１０に文字や画像等のデータを印刷する機能部である。複製不可領域指定部２４は、印刷物に印刷する文字や画像等を表示させる表示部、及び前記表示させた文字や画像中において複製を許可しない複製不可領域（例えば、特定の文字列又は領域）を設定するためのポインティングデバイス（マウスやタッチパネル等）を備える。無線タグリーダ／ライタ部（ＲＦＩＤリーダ／ライタ部）２６は、上記複製不可領域指定部２４を用いて指定された複製不可領域の位置情報を印刷物１０に埋め込まれた無線タグ１２に書き込む。ここで、複製不可領域１４の位置情報とは、例えば、複製不可領域１４が矩形の場合には対角に位置する２つの頂点の座標、複製不可領域１４が多角形の場合にはその頂点の座標、複製不可領域１４が円形の場合にはその中心の座標及び半径、複製不可領域１４が楕円形の場合にはその中心又は焦点の座標及び長径、短径等である。
【００２１】
図３は、無線タグ（ＲＦＩＤタグ）１２の電気的構成を示すブロック図である。図３に示すように、無線タグ１２は、アンテナ用コイルＬ１０、共振コンデンサＣ１０、整流・平滑回路３０、変復調回路３２、ＣＰＵ３４、ＲＯＭ３６及びＥＥＰＲＯＭ３８を備える。
【００２２】
アンテナ用コイルＬ１０は、共振コンデンサＣ１０と並列に接続されて共振回路を構成し、無線タグリーダ／ライタ部２６から送信される所定の周波数の電力用電波信号を受信して整流・平滑回路３０に供給する。
【００２３】
整流・平滑回路３０は、動作用電源回路を構成するもので、上記共振回路から送信されてきた電力用電波信号を整流し、平滑化して一定電圧の直流電力（動作用電力）にしてＣＰＵ３４等に供給する。
【００２４】
無線リーダ／ライタ部２６から送信されてくる信号は、電力用電波信号に重畳して送信され、その信号は変復調回路３２により復調されてＣＰＵ３４に与えられる。
【００２５】
ＣＰＵ３４は、ＲＯＭ３６に記憶された動作プログラムに従って動作し、変復調回路３２から入力される信号に応じた処理を実行し、受信したデータをＥＥＰＲＯＭ３８に書き込んだり、ＥＥＰＲＯＭ３８からデータを読み出して変復調回路３２により変調し、アンテナ用コイルＬ１０から電波信号として送信したりする。
【００２６】
整流・平滑回路３０、変復調回路３２、ＣＰＵ３４、ＲＯＭ３６、ＥＥＰＲＯＭ３８はＩＣチップを構成し、アンテナ用コイルＬ１０等とともにフィルムに実装されて無線タグ１２となり、印刷物１０に埋め込まれる。
【００２７】
図４は、無線リーダ／ライタ部２６の電気的構成を示すブロック図である。図４に示すように、無線リーダ／ライタ部２６は、送信アンテナ用コイルＬ２０を備えた送信部４０と、受信アンテナ用コイルＬ２２を備えた受信部４２と、全体を制御するリーダ／ライタ制御部４４とを備える。無線タグ１２と通信する場合は、キャリア信号を送信部４０で変調して電力用電波信号として送信アンテナ用コイルＬ２０から送信し、その後、送信すべきデータ信号を電力用電波信号に重畳するように送信部４０で変調して送信アンテナ用コイルＬ２０から送信する。無線タグ１２から送信された電波信号については、これを受信アンテナ用コイルＬ２２で受信し、受信部４２で復調してデータとして弁別する。
【００２８】
以下、本発明に係る印刷物複製装置について説明する。図５は、本発明の第１の実施形態に係る印刷物複製装置の主要構成を示すブロック図である。図５に示すように、印刷物複製装置５０は、電源５２、電源コントロール部５４、マイコン５６、印刷物読取部５８、無線タグリーダ部６０、警告手段６２及び印刷部６４を備える。印刷物複製装置５０は、印刷物読取部（スキャナ）５８により、印刷物１０に印刷された印刷内容を読み取って、印刷部６４により、読み取った印刷内容を印刷用紙に印刷、複製する複製装置である。
【００２９】
電源５２は、例えば、電池又はＡＣ電源等である。電源コントロール部５４は、電源５２から印加される電圧を所定の電圧の電力（動作用電力）にしてマイコン５６等に供給する。
【００３０】
マイコン５６は、制御や演算に必要な各種データテーブル等が格納されたＲＯＭや、作業用記憶領域として利用されるＲＡＭ等を備え、所定のプログラムに従って印刷物複製装置５０内の各機器を制御する。
【００３１】
印刷物読取部５８は、印刷物１０に印刷された文字や画像等の印刷内容を読み取るスキャナ部であり、上記図１に示す印刷物１０が載置される。印刷物読取部５８の表面には、例えば、タッチパネル（感圧式又は静電式）又は圧力センサが全面に配置されており、ユーザは、タッチペンＰ１又は指等を用いて印刷物１０の上をタッチすることにより複製したい領域１６を指定することができる。図６に示すように、印刷物読取部５８に載置された印刷物１０上の２点Ａ１及びＢ１がタッチペンＰ１又はユーザの指等によりタッチされると、マイコン５６により、印刷物読取部５８からの検出信号に基づいてタッチされた２点Ａ１及びＢ１の位置が検出される。そして、マイコン５６により、２点Ａ１及びＢ１を対角の頂点とする矩形領域１６が複製したい領域として指定される。なお、複製したい領域１６の指定方法としては、２点を指定する方法のほか、例えば、タッチペンＰ１を用いてなぞった閉曲線の内部を複製したい領域１６としてもよいし、複数の点を指定してこれらを結ぶ多角形の内部を複製したい領域１６としてもよい。
【００３２】
次に、無線タグリーダ部６０により、印刷物１０の無線タグ１２から複製不可領域１４の位置情報が読み取られる。そして、マイコン５６において、上記指定された複製したい領域１６と複製不可領域１４とが重ならないかどうかが判断される。複製したい領域１６と複製不可領域１４とが重なると判断された場合には、警告手段（例えば、表示モニタやＬＥＤランプ、スピーカ等）６２により、複製したい領域１６が複製不可領域１４であることを示す警告表示又は警告音声が出力される。
【００３３】
一方、複製したい領域１６と複製不可領域１４と重ならないと判断された場合には、印刷物読取部５８により、印刷物１０上において複製したい領域１６内に印刷された印刷内容が読み取られて、印刷部６４に出力される。印刷部６４は、印刷用紙が格納される用紙トレイを備えており、上記読み取った印刷内容をこの印刷用紙に印刷、複製する。
【００３４】
次に、本実施形態の印刷物複製装置５０において印刷物を複製する際の処理の流れについて、図７を参照して説明する。まず、印刷物読取部５８上に印刷物１０がセットされると（ステップＳ１０）、複製したい領域１６の指定を受け付ける状態になる（ステップＳ１２）。そして、複製したい領域１６がタッチペンＰ１等により指定されると、マイコン５６により、複製したい領域１６の位置情報（座標等）が演算される。また、無線タグリーダ部６０によって、印刷物１０に埋め込まれた無線タグ１２から複製不可領域１４を特定するための位置情報が取得される（ステップＳ１４）。
【００３５】
次に、ステップＳ１２において指定された複製したい領域１６と、複製不可領域１４とが重なっていないかどうかが判断される（ステップＳ１６）。複製したい領域１６と複製不可領域１４との重なると判断された場合には（ステップＳ１６のＮｏ）、警告手段６２により、複製したい領域１６が複製不可領域１４であることを示す警告表示又は警告音声が出力されて、終了する。一方、複製したい領域１６と複製不可領域１４とが重ならないと判断された場合には（ステップＳ１６のＹｅｓ）、印刷物読取部５８により、印刷物１０上において複製したい領域１６内に印刷された印刷内容が読み取られて（ステップＳ１８）、印刷部６４により印刷される（ステップＳ２０）。
【００３６】
本実施形態によれば、１枚の印刷物に印刷された印刷内容の一部を複製不可領域として指定することにより、印刷物のうち複製が許可された部分のみを選択的に複製することができる。
【００３７】
なお、本実施形態では、複製したい領域を設定する手段を設けたが、例えば、複製不可領域の位置情報を読み取って、複製不可領域を除く全ての領域の印刷内容を印刷、複製するようにしてもよい。
【００３８】
また、本実施形態では、複製不可領域指定部２４や、複製したい領域を設定する手段をタッチパネルやポインティングデバイスとしたが、例えば、印刷物をスキャナで読み取って表示させる表示手段を設けて、この表示画面上で、マウス等のポインティングデバイスを用いて、複製不可領域や複製したい領域を指定するようにしてもよい。
【００３９】
なお、本実施形態では、無線タグ１２に、複製不可領域１４の位置情報を記憶させるようにしたが、例えば、複製不可領域１４として設定された文字列のテキストデータを記憶させるようにしてもよい。この場合、印刷物複製装置５０にＯＣＲ機能部を設けて、上記図７のステップＳ１６において、ＯＣＲ機能部によって読み取った複製したい領域のテキストデータと、複製不可領域１４のテキストデータとを比較することにより、複製したい領域と複製不可領域が重なるかどうかを判定する。
【００４０】
また、本実施形態では、読み取った印刷内容を複製する複製機の実施例について説明したが、例えば、読み取った印刷内容を画像データとして保存するスキャナや、テキストデータとして保存するＯＣＲ装置、又はファクシミリ装置等についても本発明を適用することができる。
【００４１】
次に、本発明の第２の実施形態について説明する。図８は、本発明の第２の実施形態に係る印刷物複製装置を構成する複製範囲指定装置の主要構成を示すブロック図である。図８に示すように、複製範囲指定装置７０は、電源７２、電源コントロール部７４、マイコン７６、位置情報読取部７８、無線タグリーダ／ライタ部８０及び警告手段８２を備える。
【００４２】
電源コントロール部７４は、電源７２から印加される電圧を所定の電圧の電力（動作用電力）にしてマイコン７６等に供給する。
【００４３】
マイコン７６は、制御や演算に必要な各種データテーブル等が格納されたＲＯＭや、作業用記憶領域として利用されるＲＡＭ等を備え、所定のプログラムに従って複製範囲指定装置７０内の各機器を制御する。
【００４４】
位置情報読取部７８は、例えば、タッチパネル又は圧力センサが全面に配置されたプレートであり、上記図１に示す印刷物１０が載置される。そして、上記第１の実施形態と同様に、位置情報読取部７８に載置された印刷物１０がタッチペンＰ２又はユーザの指等によりタッチ又はなぞられると、マイコン５６により、位置情報読取部７８からの検出信号に基づいて複製したい領域１６が指定される。
【００４５】
次に、無線タグリーダ／ライタ部８０により、印刷物１０の無線タグ１２から複製不可領域１４の位置情報が読み取られる。そして、マイコン７６において、上記指定された複製したい領域１６と複製不可領域１４とが重なる部分があるかどうかが判断される。複製したい領域１６と複製不可領域１４とが重なる領域があると判断された場合には、警告手段（例えば、表示モニタやＬＥＤランプ、スピーカ等）８２により、複製したい領域１６が複製不可領域１４であることを示す警告表示又は警告音声が出力される。一方、複製したい領域１６と複製不可領域１４と重ならないと判断された場合には、無線タグリーダ／ライタ部８０により、上記指定された複製したい領域１６の位置情報が印刷物１０に埋め込まれた無線タグ１２に書き込まれる。
【００４６】
次に、本実施形態に係る印刷物複製装置を構成する複製装置について、図９を参照して説明する。図９に示すように、複製装置１００は、電源１０２、電源コントロール部１０４、マイコン１０６、印刷内容読取部１０８、１１０及び印刷部１１２を備える。
【００４７】
電源コントロール部１０４は、電源１０２から印加される電圧を所定の電圧の電力（動作用電力）にしてマイコン１０６等に供給する。
【００４８】
マイコン１０６は、制御や演算に必要な各種データテーブル等が格納されたＲＯＭや、作業用記憶領域として利用されるＲＡＭ等を備え、所定のプログラムに従って複製装置１００内の各機器を制御する。
【００４９】
印刷内容読取部１０８は、印刷物１０に印刷された文字や画像等の印刷内容を読み取るスキャナ部であり、上記図１に示す印刷物１０が載置される。次に、無線タグリーダ部１１０により、印刷物１０の無線タグ１２から複製したい領域１６の位置情報が読み取られる。そして、印刷内容読取部１０８により、印刷物１０上において複製したい領域１６内に印刷された印刷内容が読み取られて、印刷部１１２に出力される。印刷部１１２は、印刷用紙が格納される用紙トレイを備えており、上記読み取った印刷内容をこの印刷用紙に印刷、複製する。
【００５０】
次に、本実施形態の印刷物複製装置において印刷物を複製する際の処理の流れについて、図１０及び図１１を参照して説明する。図１０は、複製範囲指定装置７０における処理の流れを示すフローチャートである。まず、位置情報読取部７８上に印刷物１０がセットされると（ステップＳ３０）、複製したい領域１６の指定を受け付ける状態になる（ステップＳ３２）。そして、複製したい領域１６がタッチペンＰ２等により指定されると、マイコン７６により、複製したい領域１６の位置情報（座標等）が演算される。また、無線タグリーダ／ライタ部８０によって、印刷物１０に埋め込まれた無線タグ１２から複製不可領域１４を特定するための位置情報が取得される（ステップＳ３４）。
【００５１】
次に、ステップＳ３２において指定された複製したい領域１６と、複製不可領域１４とが重なっていないかどうかが判断される（ステップＳ３６）。複製したい領域１６と複製不可領域１４との重なる領域があると判断された場合には（ステップＳ３６のＮｏ）、警告手段８２により、複製したい領域１６が複製不可領域１４であることを示す警告表示又は警告音声が出力されて、終了する。
【００５２】
一方、複製したい領域１６と複製不可領域１４との重ならないと判断された場合には（ステップＳ３６のＹｅｓ）、上記指定された複製したい領域１６の位置情報が印刷物１０に埋め込まれた無線タグ１２に書き込まれる（ステップＳ３８）。
【００５３】
図１１は、複製装置１００における処理の流れを示すフローチャートである。まず、印刷内容読取部１０８上に印刷物１０がセットされると（ステップＳ４０）、無線タグリーダ部１１０によって、印刷物１０に埋め込まれた無線タグ１２から複製したい領域１６を特定するための位置情報が取得される（ステップＳ４２）。そして、印刷内容読取部１０８により、印刷物１０上において複製したい領域１６内に印刷された印刷内容が読み取られて、印刷部１１２により印刷される（ステップＳ４４）。
【００５４】
本実施形態によれば、１枚の印刷物に印刷された印刷内容の一部を複製不可領域として指定することにより、印刷物のうち複製が許可された部分のみを複製したい領域として指定して、複製装置により複製することができる。
【図面の簡単な説明】
【００５５】
【図１】本発明に係る印刷物複製装置に使用する印刷物を模式的に示す平面図
【図２】図１に示した印刷物１０を作成するための印刷装置の主要構成を示すブロック図
【図３】無線タグ１２の電気的構成を示すブロック図
【図４】無線リーダ／ライタ部２６の電気的構成を示すブロック図
【図５】本発明の第１の実施形態に係る印刷物複製装置の主要構成を示すブロック図
【図６】複製したい領域を指定する手順を示す図
【図７】印刷物複製装置５０において印刷物を複製する際の処理の流れを示すフローチャート
【図８】本発明の第２の実施形態に係る印刷物複製装置を構成する複製範囲指定装置の主要構成を示すブロック図
【図９】本発明の第２の実施形態に係る印刷物複製装置を構成する複製装置の主要構成を示すブロック図
【図１０】複製範囲指定装置７０における処理の流れを示すフローチャート
【図１１】複製装置１００における処理の流れを示すフローチャート
【符号の説明】
【００５６】
１０…印刷物、１２…無線タグ、１４…複製不可領域、２０…印刷装置、２２…印刷部、２４…複製不可領域指定部、２６…無線タグリーダ／ライタ部、５０…印刷物複製装置、５２…電源、５４…電源コントロール部、５６…マイコン、５８…印刷物読取部、６０…無線タグリーダ部、６２…警告手段、６４…印刷部、７０…複製範囲指定装置、７２…電源、７４…電源コントロール部、７６…マイコン、７８…位置情報読取部、８０…無線タグリーダ／ライタ部、８２…警告手段、１００…複製装置、１０２…電源、１０４…電源コントロール部、１０６…マイコン、１０８…印刷内容読取部、１１０…無線タグリーダ部、１１２…印刷部
【図１】
2007121894.tif 000003
【図２】
2007121894.tif 000004
【図３】
2007121894.tif 000005
【図４】
2007121894.tif 000006
【図５】
2007121894.tif 000007
【図６】
2007121894.tif 000008
【図７】
2007121894.tif 000009
【図８】
2007121894.tif 000010
【図９】
2007121894.tif 000011
【図１０】
2007121894.tif 000012
【図１１】
2007121894.tif 000013